(57)【特許請求の範囲】
【請求項１】
スタンバイ状態において既に設定されている予約番組の放送開始時間がきたときに当該番組予約を実行するために必要な回路の電源をオンさせて当該番組予約を実行させる手段および、スタンバイ状態において予め定められた通信開始時間がきたときに、通信を行なうために必要な回路の電源をオンさせて視聴履歴を集計センタに通信する手段を備えたテレビジョン放送受信機において、
スタンバイ状態において既に設定されている予約番組の放送開始時間および予め定められた通信開始時間のうちのいずれか一方の時間に現在時刻が到達したときに、放送開始時間および通信開始時間のうち、現在時刻が到達した一方の時間と、現在時刻が到達していない他方の時間との時間差が、一定範囲内であるか否かを判別する手段、ならびに
両時間差が一定範囲内であると判定された場合には、集計センタへの通信を、予約番組の放送開始時間に合わせて行なうように、番組予約を実行するために必要な回路および通信を行なうために必要な回路への電源供給を制御する手段、
を備えていることを特徴とするテレビジョン放送受信機。
【請求項２】
スタンバイ状態において既に設定されている予約番組の放送開始時間がきたときに当該番組予約を実行するために必要な回路の電源をオンさせて当該番組予約を実行させる手段および、スタンバイ状態において予め定められた通信開始時間がきたときに、通信を行なうために必要な回路の電源をオンさせて視聴履歴を集計センタに通信する手段を備えたテレビジョン放送受信機において、
スタンバイ状態において既に設定されている予約番組の放送開始時間がきたときに、当該予約番組の放送開始時間と予め定められた通信開始時間との時間差が、一定範囲内であるか否かを判別する第１判別手段、
第１判別手段によって両時間差が一定範囲内であると判別された場合には、当該番組予約を実行するために必要な回路および通信を行なうために必要な回路の電源をオンさせて、当該番組予約を実行させるとともに視聴履歴を集計センタに通信する第１制御手段、
スタンバイ状態において予め定められた通信開始時間がきたときに、当該通信開始時間と、既に設定されている予約番組の放送開始時間との時間差が、一定範囲内であるか否かを判別する第２判別手段、ならびに
第２判別手段によって両時間差が一定範囲内であると判別された場合には、当該通信開始時間と時間差が一定範囲内であると判別された予約番組の放送開始時間がくるまで待機し、その予約番組の放送開始時間がきたときに、当該番組予約を実行するために必要な回路および通信を行なうために必要な回路の電源をオンさせて、当該番組予約を実行させるとともに視聴履歴を集計センタに通信する第２制御手段、
を備えていることを特徴とするテレビジョン放送受信機。
【請求項３】
個々のテレビジョン放送受信機に対する通信開始時間は、放送によって送られてくることを特徴とする請求項１および請求項２のいずれかに記載のテレビジョン放送受信機。
【発明の詳細な説明】
【０００１】
【発明の属する技術分野】
この発明は、テレビジョン放送受信機に関する。
【０００２】
【従来の技術】
テレビジョン放送受信機においては、番組を提示するために必要な回路の中にはかなりの電力を消費するものも多い。番組予約が行なわれ、その予約番組の放送が開始されるまで、ユーザが視聴を要しない場合には、当該予約番組の放送が開始されるまでの間は、ほとんどの回路に通電する必要がない。そこで、省電力の観点から、こういった場合に備えてテレビジョン放送受信機では必要な回路のみに通電しておくだけのスタンバイモードが設けられている。
【０００３】
スタンバイモード時において、予約番組の放送開始時間になると、スタンバイモードから電源オンモードとなって、予約を実行するのに必要な回路に通電され予約が実行される。
【０００４】
一方、番組単位で料金が定められているような有料番組（ＰＰＶ：Ｐａｙ  Ｐｅｒ  Ｖｉｅｗ）を視聴予約できるテレビジョン放送受信機においては、定期的に有料番組の視聴履歴を、電話回線等により放送事業者の集計センタに通信する必要がある。このようなシステムの場合には、個々のテレビジョン放送受信機から集計センタへの回線接続が時間的に集中するといったことを避けるため、次のようなことが提案されている。
【０００５】
つまり、各テレビジョン放送受信機毎にこの通信を行うべきおおよその通信時間を定め、この通信時間のスケジュールを放送によって送出する。各テレビジョン放送受信機は、受信電波に重畳されているこのスケジュールを取得して通信を行う。この場合にも、各テレビジョン放送受信機は、視聴がされていない場合には、視聴履歴を通信する時間だけ、そのために必要な回路に通電されていればよい。したがって、スタンバイモード時において、通信開始時間になるとスタンバイモードから電源オンモードとなって、通信に必要な回路に通電され集計センタへの通信が行われる。
【０００６】
【発明が解決しようとする課題】
ところで、予約を実行するのに必要な回路と、通信に必要な回路には、共通なものもある。このため、予約番組の放送開始時間と通信開始時間とが時間的に近接しているような場合にも、予約を実行するのに必要な回路への通電と、通信に必要な回路への通電とを別々に行なうことは、電力を無駄に消費することになるという問題がある。
【０００７】
この発明は、消費電力の低減化が図れるテレビジョン放送受信機を提供することを目的とする。
【０００８】
【課題を解決するための手段】
この発明による第１のテレビジョン放送受信機は、スタンバイ状態において既に設定されている予約番組の放送開始時間がきたときに当該番組予約を実行するために必要な回路の電源をオンさせて当該番組予約を実行させる手段および、スタンバイ状態において予め定められた通信開始時間がきたときに、通信を行なうために必要な回路の電源をオンさせて視聴履歴を集計センタに通信する手段を備えたテレビジョン放送受信機において、スタンバイ状態において既に設定されている予約番組の放送開始時間および予め定められた通信開始時間のうちのいずれか一方の時間に現在時刻が到達したときに、放送開始時間および通信開始時間のうち、現在時刻が到達した一方の時間と、現在時刻が到達していない他方の時間との時間差が、一定範囲内であるか否かを判別する手段、ならびに両時間差が一定範囲内であると判定された場合には、集計センタへの通信を、予約番組の放送開始時間に合わせて行なうように、番組予約を実行するために必要な回路および通信を行なうために必要な回路への電源供給を制御する手段を備えていることを特徴とする。
【０００９】
この発明による第２のテレビジョン放送受信機は、スタンバイ状態において既に設定されている予約番組の放送開始時間がきたときに当該番組予約を実行するために必要な回路の電源をオンさせて当該番組予約を実行させる手段および、スタンバイ状態において予め定められた通信開始時間がきたときに、通信を行なうために必要な回路の電源をオンさせて視聴履歴を集計センタに通信する手段を備えたテレビジョン放送受信機において、スタンバイ状態において既に設定されている予約番組の放送開始時間がきたときに、当該予約番組の放送開始時間と予め定められた通信開始時間との時間差が、一定範囲内であるか否かを判別する第１判別手段、第１判別手段によって両時間差が一定範囲内であると判別された場合には、当該番組予約を実行するために必要な回路および通信を行なうために必要な回路の電源をオンさせて、当該番組予約を実行させるとともに視聴履歴を集計センタに通信する第１制御手段、スタンバイ状態において予め定められた通信開始時間がきたときに、当該通信開始時間と、既に設定されている予約番組の放送開始時間との時間差が、一定範囲内であるか否かを判別する第２判別手段、ならびに第２判別手段によって両時間差が一定範囲内であると判別された場合には、当該通信開始時間と時間差が一定範囲内であると判別された予約番組の放送開始時間がくるまで待機し、その予約番組の放送開始時間がきたときに、当該番組予約を実行するために必要な回路および通信を行なうために必要な回路の電源をオンさせて、当該番組予約を実行させるとともに視聴履歴を集計センタに通信する第２制御手段を備えていることを特徴とする。
【００１０】
個々のテレビジョン放送受信機に対する通信開始時間は、たとえば、放送によって送られてくる。
【００１１】
【発明の実施の形態】
以下、図面を参照してこの発明の実施の形態について説明する。
【００１２】
〔１〕テレビジョン放送受信機の全体的な構成の説明
【００１３】
図１は、テレビジョン放送受信機の全体的な構成を示している。
【００１４】
地上波放送波は、地上波アンテナ１を介して地上波チューナ２に送られる。地上波チューナ２から得られた第１のＡＶ信号（映像信号＋音声信号）は、信号切替器５に送られる。
【００１５】
通信衛星からのデジタル放送波は、アンテナ３を介してデジタル放送受信回路４に送られる。デジタル放送受信回路４は、デジタル放送に対応する映像信号および音声信号を第２のＡＶ信号（映像信号＋音声信号）として出力する。デジタル放送受信回路４から得られた第２のＡＶ信号は、信号切替器５に送られる。
【００１６】
第１のシステムコントローラ１０には、リモコン送信機１１からのリモコン信号がリモコン受光器１２を介して入力される。第１のシステムコントローラ１０は、地上波チューナ２およびデジタル放送受信回路４に選局のための情報等を送るとともに信号切替器５に受信モードに応じた切替信号を送る。受信モードには、地上波放送番組受信モードおよびデジタル放送受信モードとがある。
【００１７】
また、第１のシステムコントローラ１０は、時刻を計時するためのタイマ１３を備えている。さらに、第１のシステムコントローラ１０は、後述するように、デジタル放送受信回路４から伝えられる予約番組開始時間、通信開始時間等を記憶するためのメモリ１４を備えている。
【００１８】
信号切替器５は、第１のシステムコントローラ１０から送られてきた切替信号に基づいて、第１および第２のＡＶ信号のうちの１つを選択し、選択したＡＶ信号に含まれている映像信号と音声信号とを出力する。
【００１９】
信号切替器５から出力された映像信号は、映像出力回路６を介してＣＲＴ７に送られる。信号切替器５から出力された音声信号は、音声出力回路８を介してスピーカ９に送られる。
【００２０】
商用電源に接続されたプラグ２１に入力されたＡＣ電源は、メインスイッチ２２を介して電源回路２３に送られる。電源回路２３は、整流／降圧動作により、各回路の動作用電源（ＤＣ電源）を発生せしめる。
【００２１】
〔２〕デジタル放送受信回路の構成の説明
【００２２】
図２は、デジタル放送受信回路４の構成を示している。
【００２３】
通信衛星（ＣＳ）を利用したＣＳ放送波は、アンテナ３を介してチューナ３１に送られ、高周波処理および復調が行われる。チューナ３１からの出力はＤＥＭＵＸ回路３２に送られ、パケットの復号が行われる。
【００２４】
ＤＥＭＵＸ回路３２において、パケットは、ＭＰＥＧデータと番組案内情報等の付属情報とに分別される。ＤＥＭＵＸ回路３２によって分別されたＭＰＥＧデータは、ＡＶデコーダ３３に送られる。ＤＥＭＵＸ回路３２によって分別された付属情報は、第２のシステムコントローラ４０に送られ、番組予約処理等に利用される。
【００２５】
第２のシステムコントローラ４０は、各種操作画面をＣＲＴ７にオンスクリーン表示させるためのＯＳＤ制御信号を、ＯＳＤ表示回路３６に送る。ＯＳＤ表示回路３６は、番組ガイド、メニュー等の表示データを生成して、ＯＳＤ信号としてマルチプレクサ（合成回路）３５に送る。
【００２６】
ＡＶデコーダ３３は、ＤＥＭＵＸ回路３２から送られきたＭＰＥＧデータを復調する。ＡＶデコーダ３３によって得られた映像信号は、ＡＶ信号処理回路３４を介してマルチプレクサ３５に送られる。マルチプレクサ３５は、ＡＶ信号処理回路３４から出力された映像データにＯＳＤ表示回路３６から送られてきた表示データをスーパーインポーズ処理して、信号切替器５に送る。
【００２７】
第２のシステムコントローラ４０は、予約情報等を記憶するためのメモリ４１を備えている。また、第２のシステムコントローラ４０には、集計センタ（図示略）との通信を行なうために、通信ＩＦ３７、モデム３８および回線ＩＦ３９を介して電話回線に接続されている。
【００２８】
〔３〕番組予約についての説明
【００２９】
ユーザが番組の予約を行いたい場合には、リモコン送信機１１により必要な入力操作を行う。リモコン送信機１１からのリモコン信号は、リモコン受光器１２を介して、第１のシステムコントローラ１０に送られる。第１のシステムコントローラ１０は、受信したリモコン信号をシステム制御信号として、デジタル放送受信回路４内の第２のシステムコントローラ４０に送出する。
【００３０】
第２のシステムコントローラ４０は、第１のシステムコントローラ１０からの上記システム制御信号を受信すると、番組予約を行うための表示データを作成した後、ＯＳＤ制御信号によりＯＳＤ表示回路３６を制御し、ＯＳＤ表示回路３６に番組予約用画面に対応するＯＳＤ信号を生成させる。
【００３１】
このＯＳＤ信号は、マルチプレクサ３５に送られ、ＡＶ信号処理回路３４からの映像データと合成された後、信号切替器５および映像出力回路６を介してＣＲＴ７に表示される。
【００３２】
ユーザはこの番組予約用画面を見ながらリモコン送信機１１により必要な入力操作を行って予約する番組を決定する。第２のシステムコントローラ４０は、ユーザによって決定された予約番組に関する情報（番組識別番号あるいは番組名、チャンネル、放送時間等）を付属情報から取り出し、予約情報としてメモリ４１に書き込むとともに、このうちの放送開始時間（以下、予約番組開始時間という）をシステム制御信号として第１のシステムコントローラ１０に伝える。第１のシステムコントローラ１０は、第２のシステムコントローラ４０から送られてきた予約番組開始時間をメモリ１４に書き込む。
【００３３】
ところで、通常は、電源プラグ２１は商用電源のコンセントに差し込まれており、メインスイッチ２２もオンされている。電源回路２３から第１のシステムコントローラ１０に供給されるＤＣ電源（スタンバイ電源）は、メインスイッチ２２がオンされている間は常時発生している。
【００３４】
ユーザがリモコン送信機１１により電源キーをオンしたときには、つまり、デジタルテレビ放送受信機の電源がオンされたときには、第１のシステムコントローラ１０は、電源制御信号によって電源回路２３を制御し、デジタル放送受信回路４および他の各回路へのＤＣ電源が電源回路２３から出力されるようにする。
【００３５】
ユーザがリモコン送信機１１により電源キーをオフしたときには、つまり、デジタルテレビ放送受信機の電源がオフされたときには、第１のシステムコントローラ１０によってデジタル放送受信回路４および他の各回路へのＤＣ電源が電源回路２３から出力されないように制御され、スタンバイ状態となる。スタンバイ状態においては、第１のシステムコントローラ１０、タイマ１３およびメモリ１４には、電源回路２３からスタンバイ電源が送られている。
【００３６】
予約処理が完了した後に、ユーザがリモコン送信機１１により電源キーをオフすることによって、スタンバイ状態になっているとする。スタンバイ状態においては、第１のシステムコントローラ１０は、タイマー１３から時刻情報を定期的に取得し、現在時刻がメモリ１４に記憶されている予約番組開始時間に到達したか否かを監視する。
【００３７】
現在時刻がメモリ１４に記憶されている予約番組開始時間に到達すると、第１のシステムコントローラ１０は、電源回路２３からデジタル放送受信回路４にデジタル放送受信電源が供給されるとともに各回路にテレビジョン電源が供給されるように、電源回路２３を制御する。
【００３８】
また、第１のシステムコントローラ１０は、システム制御信号によって、デジタル放送受信回路４内の第２のシステムコントローラ４０に予約番組の開始を伝える。第２のシステムコントローラ４０は、第１のシステムコントローラ１０から予約番組の開始が伝えられると、メモリ４１から該当する予約情報を読み出し、読み出した予約情報に基づいて予約番組を受信して表示させるような制御を行なう。
【００３９】
〔４〕集計センタとの通信スケジュールについての説明
【００４０】
デジタル放送受信回路４内の第２のシステムコントローラ４０は、ＤＥＭＵＸ回路３２で分別された付属情報に基づいて、当該テレビジョン放送受信機が有料番組の視聴履歴を集計センタに送信するために、集計センタと通信を行うべき時間を示す通信スケジュール情報（通信開始時間情報）を、当該テレビジョン放送受信機に割り当てられた個別ＩＤに合致するデータを抜き出すことで取得する。
【００４１】
そして、第２のシステムコントローラ４０は、取得した通信開始時間情報を、システム制御信号として第１のシステムコントローラ１０に伝える。第１のシステムコントローラ１０は、第２のシステムコントローラ４０から送られてきた通信開始時間情報をメモリ１４に書き込む。
【００４２】
スタンバイ状態時には、第１のシステムコントローラ１０は、タイマー１３から時刻情報を定期的に取得し、現在時刻がメモリ１４に記憶されている通信開始時間に到達したか否かを監視する。
【００４３】
現在時刻がメモリ１４に記憶されている通信開始時間に到達すると、第１のシステムコントローラ１０は、電源回路２３からデジタル放送受信回路４にデジタル放送受信電源が供給されるように電源回路２３を制御する。この場合には、デジタル放送受信回路４以外の他の回路にテレビジョン電源は供給されない。
【００４４】
また、第１のシステムコントローラ１０は、システム制御信号によって、デジタル放送受信回路４内の第２のシステムコントローラ４０に通信開始時間となったことを伝える。第２のシステムコントローラ４０は、第１のシステムコントローラ１０から通信開始時間となったことが伝えられると、通信制御信号により、通信ＩＦ３７、モデム３８、回線ＩＦ３９および電話回線を介して集計センタとの通信を開始する。
【００４５】
〔５〕スタンバイ状態時において、現在時刻が予約番組開始時間または通信開始時間に到達したときの、動作についての説明。
【００４６】
スタンバイ状態時において、現在時刻が予約番組開始時間または通信開始時間に到達したときのには、原則的には、上述したような動作が行なわれる。しかしながら、現在時刻が予約番組開始時間に到達したときにおいて、放送が開始されようとする番組の予約番組開始時間と通信開始時間との時間差が一定範囲以内である場合、または現在時刻が通信開始時間に到達したときにおいて、今回の通信開始時間と予約番組開始時間との時間差が一定範囲以内である場合には、上記動作とは異なった動作が行なわれる。以下、この場合の動作について説明する。
【００４７】
〔５−１〕  スタンバイ状態時において、現在時刻が予約番組開始時間に到達したときの動作の説明
スタンバイ状態時において、現在時刻が予約番組開始時間に到達したときには、第１のシステムコントローラ１０は、メモリ１４に記憶されている予約番組開始時間と通信開始時間との関係をチェックする。つまり、放送が開始されようとする番組の予約番組開始時間と通信開始時間との時間差が、一定範囲以内であるか否かをチェックする。そして、第１のシステムコントローラ１０は、両者の時間差が一定範囲以内である場合には、電源回路２３からデジタル放送受信回路４にデジタル放送受信電源が供給されるとともに各回路にテレビジョン電源が供給されるように電源回路２３を制御するとともに、デジタル放送受信回路４内の第１のシステムコントローラ１０に予約番組の開始を伝えるとともに、通信開始時刻になったことをも伝える。
【００４８】
第２のシステムコントローラ４０は、第１のシステムコントローラ１０から予約番組の開始および通信開始時刻になったことが伝えられると、メモリ４１から該当する予約情報を読み出し、読み出した予約情報に基づいて予約番組を受信して表示させるような制御を行なうとともに、集計センタとの通信を開始する。
【００４９】
〔５−２〕  スタンバイ状態時において、現在時刻が通信開始時間に到達したときの動作の説明
【００５０】
スタンバイ状態時において、現在時刻が通信開始時間に到達したときには、第１のシステムコントローラ１０は、メモリ１４に記憶されている予約番組開始時間と通信開始時間との関係をチェックする。つまり、今回の通信開始時間と予約番組開始時間との時間差が、一定範囲以内であるか否かをチェックする。そして、第１のシステムコントローラ１０は、両者の時間差が一定範囲以内である場合には、今回の通信開始時間と時間差が一定範囲内である予約番組開始時間に、現在時刻が到達するまで待機する。
【００５１】
そして、今回の通信開始時間と時間差が一定範囲内である予約番組開始時間に、現在時刻が到達すると、電源回路２３からデジタル放送受信回路４にデジタル放送受信電源が供給されるとともに各回路にテレビジョン電源が供給されるように電源回路２３を制御するとともに、デジタル放送受信回路４内の第２のシステムコントローラ４０に予約番組の開始を伝えるとともに、通信開始時刻になったことをも伝える。
【００５２】
第２のシステムコントローラ４０は、第１のシステムコントローラ１０から予約番組の開始および通信開始時刻になったことが伝えられると、メモリ４１から該当する予約情報を読み出し、読み出した予約情報に基づいて予約番組を受信して表示させるような制御を行なうとともに、集計センタとの通信を開始する。
【００５３】
このような処理により、予約番組開始時間と通信開始時間の時間差が一定範囲以内であれば、必ず予約番組開始処理と通信開始処理が同時に行われれることとなる。
【００５４】
上記実施の形態においては、第１のシステムコントローラ１０が予約番組開始時間と通信開始時間との関係をチェックしているが、第２のシステムコントローラ４０において付属情報より得た通信開始時間と番組予約開始時間とを比較判断して、両者の時間差が一定範囲以内であれば通信開始時間を予約開始時間に合わせた上で、第１のシステムコントローラ１０に、通信開始時間と番組予約開始時間とを伝えるようにしてもよい。
【００５５】
なお、テレビジョン放送受信機の個別ＩＤについては、メーカが出荷時に書き込んでおく方法や、ユーザが受信契約時に与えられて受信機に書き込む方法や、ＩＤが書きこまれたＩＣカード等の付属物を受信機にセットする方法などが考えられる。
【００５６】
【発明の効果】
この発明によれば、消費電力の低減化が図れるようになる。
【図面の簡単な説明】
【図１】テレビジョン放送受信機の全体的な構成を示すブロック図である。
【図２】図１のデジタル放送受信回路４の構成を示すブロック図である。
【符号の説明】
４  デジタル放送受信回路
１０  第１のシステムコントローラ
１３  タイマ
１４  メモリ
２３  電源回路
４０  第２のシステムコントローラ
４１  メモリ
３７  通信ＩＦ
３８  モデム
３９  回線ＩＦ
【図１】
0003676169.tif 000002
【図２】
0003676169.tif 000003